(57)【要約】【課題】プラスイオンとマイナスイオンとを各々同量発生させてイオンクラスターを発生させる電極では、電極に高圧電力を供給する昇圧トランスの２次コイルのリーケージインダクタンスと電極のキャパシタンスとから規定される固有振動数を１次側の固有振動数に一致させる必要がある。電極のキャパシタンスが変化すると２次コイルの巻数を変更することなくリーケージインダクタンスを変更することが望まれる。【解決手段】リーケージインダクタンスは１次コイルに対する２次コイルの結合が弱くなるにつれて増大する。そこで、リーケージインダクタンスを大きくしたい場合には、１次巻線７１と２次巻線７２との間隔をあけて１次コイルと２次コイルの結合を弱めるようにする。【選択図】  図４
2004260063.tif 000002
【特許請求の範囲】
【請求項１】
イオン発生装置に内蔵された相互に対応する１対の電極間に印加させる高電圧を発生させる電源回路に用いられ、コンデンサが接続され発振回路を形成する１次コイルと上記１対の電極に接続される２次コイルとを備えた昇圧トランスにおいて、２次コイルの巻数を変更することなく２次コイルのリーケージインダクタンスを変更することのできる機構を備えていることを特徴とする昇圧トランス。
【請求項２】
１次コイル用巻線部と、この１次コイルの巻線部からの距離の相違する複数の２次コイル用巻線部とを並設し、２次コイルの巻線を各２次コイル用巻線部に分散する比率を変更することによってリーケージインダクタンスを変更することを特徴とする請求項１記載の昇圧トランス。
【発明の詳細な説明】
【０００１】
【発明の属する技術分野】
本発明は、高電圧が印加された１対の電極間からイオンを発生させるイオン発生装置に用いられる昇圧トランスに関する。
【０００２】
【従来の技術】
１対の電極を相互に対向させ両電極間に高電圧を印加すると両電極間にコロナ放電が発生する。このコロナ放電が発生すると空気中の酸素分子が電離し、プラスイオンであるオゾンやマイナスイオンが発生する。
【０００３】
マイナスイオンは緊張を取り除きリラックスさせる効果があり、オゾンは強い酸化性を有するため空気中の異臭物質やバクテリアを無効化する効果がある。また、プラスイオンとマイナスイオンとを同量発生させると、両イオンが空気中で塊となりイオンクラスターを形成することが知られている。このイオンクラスターが形成される際にバクテリアや微細な埃を両イオンが取り囲みイオンクラスターの内部に閉じこめることが明らかになってきた。
【０００４】
ところで、プラスイオンの発生量とマイナスイオンの発生量とは両電極に印加される電圧面積に比例することが知られている。横軸に時間経過を設定し縦軸に電圧を設定すると、図６に示すように、グラフ上でのプラス側の面積とマイナス側の面積とが等しくなる交流を電極に印加すると、マイナスイオンとプラスイオンの発生量が等しくなる。そして、特に上述のイオンクラスターを形成させるためにはマイナスイオンとプラスイオンの発生量が等しくなければならない（例えば、特許文献１参照）。
【０００５】
なお、このように交番電力が複数サイクル継続して電極に印加されるためには、２次コイルのリーケージインダクタンスと電極のキャパシタンスとで決まる共振周波数が１次側の共振周波数に一致している必要がある。
【０００６】
【特許文献１】
特開２００３−７４２７号公報（図２）
【０００７】
【発明が解決しようとする課題】
電極の形状が変わると、電極のキャパシタンスが変化し、２次側の共振周波数がそれに伴って変化する。すると、２次側の共振周波数が１次側の共振周波数に一致しなくなるため、電極に印加される電力の波形は図７に示すようなものになる。このため、プラスイオンとマイナスイオンの発生量が大幅に減少するばかりか、プラスイオンの発生量とマイナスイオンの発生量とが同量にならなくなる。
【０００８】
２次コイルの巻数を変えれば２次コイルのリーケージインダクタンスを変化させることはできるが、それに伴って１次コイルの巻数も変更しなければならず、電極に十分なエネルギが供給できなくなったり、あるいは昇圧トランスが大型化するなどという不具合が生じる。
【０００９】
そこで本発明は、上記の問題点に鑑み、上記各不具合を解消することのできる昇圧トランスを提供することを課題とする。
【００１０】
【課題を解決するための手段】
上記課題を解決するために本発明による昇圧トランスは、イオン発生装置に内蔵された相互に対応する１対の電極間に印加させる高電圧を発生させる電源回路に用いられ、コンデンサが接続され発振回路を形成する１次コイルと上記１対の電極に接続される２次コイルとを備えた昇圧トランスにおいて、２次コイルの巻数を変更することなく２次コイルのリーケージインダクタンスを変更することのできる機構を備えていることを特徴とする。
【００１１】
２次コイルの巻数を変更せずにリーケージインダクタンスを変更すれば、電極に供給されるエネルギが変化せず、かつ昇圧トランスの大きさも変化しない。
【００１２】
リーケージインダクタンスを変更する構成として、例えば、１次コイル用巻線部と、この１次コイルの巻線部からの距離の相違する複数の２次コイル用巻線部とを並設し、２次コイルの巻線を各２次コイル用巻線部に分散する比率を変更することによってリーケージインダクタンスを変更することが考えられる。
【００１３】
【発明の実施の形態】
図１を参照して、１は昇圧トランスであり、１個の１次コイル１１と同じく１個の２次コイルとを備えている。２はこの１次コイル１１に電極を供給するための交流電源であり、３は２方向性２端子サイリスタである。２次コイル１２にはコロナ放電用の電極４が接続されている。
【００１４】
図２に等価回路を示す。図示のように、２次側には２次コイル１２のリーケージインダクタンス５と電極４キャパシタンスとが共振回路を形成する。ここで、例えばキャパシタンスの小さい電極４を用いると、２次側の共振周波数を一定にするためには、リーケージインダクタンス５を大きくする必要がある。逆に、電極４のキャパシタンスが大きくなると、２次コイル１２のリーケージインダクタンスが小さい昇圧トランス１を使う必要がある。
【００１５】
図３に示すように、本実施の形態で用いる昇圧トランス１のボビン６には、１次コイルの巻線が巻回される１次コイル用巻線部６１を１個所設けた。また、その１次コイル用巻線部６１に並設して２個所に２次コイル用巻線部６２，６３を設けた。なお、６４はフェライトコアを挿入する貫通孔である。
【００１６】
１次コイルと２次コイルとの結合が強いと２次コイルのリーケージインダクタンスは小さくなり、逆に、１次コイルと２次コイルとの結合が弱いと２次コイルのリーケージインダクタンスは大きくなる。そのため、キャパシタンスの小さな電極を用いる場合には、例えば図４に示すように、１次コイル用巻線部６１から遠い方の２次コイル用巻線部６３にほとんどの２次巻線７２を巻回し、１次コイルと２次コイルの結合が弱くなるようにした。これにより、２次コイルのリーケージインダクタンスが大きくなり、２次側の共振周波数を一定に保持することができる。なお、７１は１次巻線である。
【００１７】
一方、電極のキャパシタンスが大きい場合には２次コイルのリーケージインダクタンスを小さくする必要がある。その場合には、２次コイル用巻線部６３よりも２次コイル用巻線部６２により多く２次巻線７２を巻回して、１次コイルと２次コイルとの結合を強め、２次コイルのリーケージインダクタンスが小さくなるようにする。
【００１８】
【発明の効果】
以上の説明から明らかなように、本発明は、プラスイオンの発生量とマイナスイオンの発生量とが同一になるように放電させる電極のキャパシタンスが増減した場合、２次コイルの巻き線数を変更することなくリーケージインダクタンスを変更し、電極のキャパシタンスが増減しても２次側の共振周波数を一定に保つことができる。
【図面の簡単な説明】
【図１】本発明が用いられる電源回路の一例を示す回路図
【図２】図１の等価回路
【図３】ボビンの概略形状を示す図
【図４】リーケージインダクタンスを大きくする場合の巻線状態を示す図
【図５】リーケージインダクタンスを小さくする場合の巻線状態を示す図
【図６】２次側の固有振動数が適正な場合の電極への出力波形を示す図
【図７】２次側の固有振動数が不適正な場合の電極への出力波形を示す図
【符号の説明】
１  昇圧トランス
１１  １次コイル
１２  ２次コイル
４  電極
２  電源
６  ボビン
６１  １次コイル用巻線部
６２  ２次コイル用巻線部
６３  ２次コイル用巻線部
７１  １次巻線
７２  ２次巻線
【図１】
2004260063.tif 000003
【図２】
2004260063.tif 000004
【図３】
2004260063.tif 000005
【図４】
2004260063.tif 000006
【図５】
2004260063.tif 000007
【図６】
2004260063.tif 000008
【図７】
2004260063.tif 000009